(57)【要約】      （修正有）【課題】刈払機の吊持ベルトは、使用時に於いて常に刈払機の全重量を使用者の肩にかけることで支持するため、負担が大きく疲労を招く。使用時に於いてこの種の手動作業機械の重量を使用者にて支持せず使用できる装置を提供する。【解決手段】手動作業機械を棒状の杖３の下部を使用者の足首に弾性を有した部材で形成した足ベルト５を介して装着し、棒状の杖の上部に任意の位置で棒状の杖上に固定できるよう形成された器具４を介して伸縮可能な部材で形成された肩ベルト２を繋ぎ、またその器具４に吊り金具を設け、手動作業機械７を吊る。【選択図】図２
0003125645.tif 000002
【実用新案登録請求の範囲】
【請求項１】
使用者の足首に装着する伸縮可能な部材で形成されたベルトによる足バンドを下部に有した棒状の杖具
の上部に任意の位置で棒状の杖上に固定できるよう形成された器具を介して
伸縮可能な部材で形成されたベルトの両端を連結することで形成した肩バンドを繋ぎ、
またその器具に吊り金具を設け、手動作業機械を吊ることを特徴とした支持具。
【考案の詳細な説明】
【技術分野】
【０００１】
本考案は、手動作業機械、特に刈払い機その他を使用者に装着した杖型支持具によって支持できるようにしたものに関するものである。
【背景技術】
【０００２】
従来、この種の作業機の吊持ベルトの一例として、たとえば、実公昭５２─９７０２８号公報に示された刈払機の吊持ベルトがある。
【考案の開示】
【考案が解決しようとする課題】
【０００３】
しかしながら、この刈払機の吊持ベルトは、使用時に於いて常に刈払機の全重量を使用者の肩にかけることで支持するため、負担が大きく疲労を招く。
そこで、この考案は、使用時に於いてこの種の手動作業機械の重量を使用者にて支持せず使用できることを提供することを課題とする。
【課題を解決するための手段】
【０００４】
以上の課題を解決するために、請求項１を特徴とする構成により解決する。
請求項１では、この種の手動作業機械を棒状の杖の下部を使用者の足首に弾性を有した部材で形成したベルトを介して装着し、棒状の杖の上部に任意の位置で棒状の杖上に固定できるよう形成された器具を介して伸縮可能な部材で形成された肩ベルトを繋ぎ、またその器具に吊り金具を設け、電動工具を吊る。
【考案の効果】
【０００５】
本考案の請求項１によれば、手動作業機械は棒状の杖部に吊り金具を介して吊られた状態となり、手動作業機械は杖部で支持されるため、使用者への作業機の支持に於ける重量の負担は解消及び軽減される。
また、棒状の杖部と伸縮可能な部材で形成された肩ベルトとは手動作業機械を吊るための吊り金具を有した棒状の杖上に手動作業機械の任意の位置で固定できるよう形成された器具を介して接続されているため、使用者の体格に併せて任意に手動作業機械の吊り位置を決めることが出来る。また、使用者と伸縮可能な部材で形成された肩ベルトにて装着されているため、従来の肩ベルト式のように手動作業機械を安定した状態で保持しておくことが出来、また、足場に問題が発生し杖部によって手動作業機械が吊られていない状態になっても、肩ベルトによって手動作業機械が吊られることになるため、安全性も確保される。また、手動作業機械は手動作業機械を吊るための吊り金具を有した棒状の杖部上に任意の位置で固定できるよう形成された器具にて自由度が高いように吊り金具にて接続されているため手動作業機械の操作自由度を妨げない。また、使用者の足首に弾性を有した部材で形成されたベルトを用いて使用者に装着できるように形成した足ベルトにて装着することにより手動作業機械の使用時に杖部が安定した状態で支持され、また装着した状態で歩行が可能となるように形成されている。これは、歩行時には、手動作業機械を腕にて任意にて持ち上げ、手動作業機械を支持することによって、棒状の杖による手動作業機械の支持を解放することで歩行を可能とする。また、装着時に於いて、棒状の杖部が装着された足を上げた場合、杖部が土面に着地していない状態になるが、この場合は使用者の肩に肩掛けベルトにて手動作業機械は支持されることになるため、その場合、通常の肩掛けベルトにて手動作業機械を支持している状況と同じ歩行条件となるため、歩行に問題はない。これらの効果により、刈払機などこれらの手動作業機械の使用時に於いて、肉体的な負担を少なく、疲労を軽減するため、効率的に作業できるようになった。
【考案を実施するための最良の形態】
【０００６】
以下、本考案における好ましい実施例について、添付図面を参照しながら説明する。図１及び、図２及び、図３とにおいて、１は全体として本考案による肩掛け式ベルト連結作業機保持杖を示し、任意に長さを変更できる肩掛け式ベルト２と、棒状の杖部３と、３上に任意の位置にて固定でき、肩掛け式ベルト２と連結された、手動作業機械７を吊る吊り金具部４と、棒状の杖部３を使用者の足に装着する足ベルト部５とで構成されている。実際上、この肩掛け式ベルト連結作業機保持杖１の使用には、図２に示すとおり使用者は肩掛け式ベルト２を装着し、足に足ベルト５を装着する。その際、吊り金具部４を使用者の腰位置に任意に移動保持させ、吊り金具部４に手動作業機械７を吊る。吊り金具部４に手動作業機械７が吊られ、かつ肩掛け式ベルト２に荷重がかからない状態に吊り金具部４を棒状の杖部３上に固定し手動作業機械７を使用する。この状態のとき、手動作業機械７の荷重は棒状の杖部３にかかるため、使用者に荷重の負担がない。また、肩掛け式ベルト２にて、手動作業機械７の安定保持を行っているため、安全性も確保できる。また、装着した状態で、次の作業場所まで移動する場合は、図３に示すとおり、手動作業機械７を手で持ち上げ、吊り金具部４から荷重を解放する、もしくは、足ベルト部５が装着された足を上げた場合、足ベルト部５が足ベルト位置保持具６にかかり、棒状の杖部３が土面に着地していない状態になるが、この場合は使用者の肩に肩掛けベルト２にて手動作業機械７は支持されることになるため、歩行に於いて問題はない。この際、肩掛け式ベルト連結作業機保持杖１と使用者はナイロンなどの硬質繊維でできた足ベルト部５によって装着されているため、歩行の動きに併せて足ベルト部５は柔軟に変形するため歩行の際の障害とならず、装着時に於いても歩行が可能となる。また、使用者と杖具を足に固定するように装着すると、足の踏み替え程度で、杖部が移動することになり、手動作業機械７の安定した使用ができないため、棒状の杖上３に任意に移動固定できる、足ベルト位置保持具６を配置し、足ベルト５に一定の自由度を設定できるようにし、使用者の体格及び使用状況に於ける手動作業機械７の使用時と歩行時の肩掛け式ベルト連結作業機保持杖１の状況を任意に設定できるようにした。
【０００７】
「実施形態の効果」
この考案は、以上のとおり構成されるのでつぎのとおりの効果を有する。
１．手動作業機械の使用時に於いて、手動作業機械の荷重が使用者に係らないため、使用者の肉体的な負担が軽減される。
２．装着した状態で使用者の移動ができるため、作業の効率が良い。
【０００８】
「他の実施形態」
図４に示すとおり、杖部３は任意に伸縮出来るように構成されたものでも良い。
図４に示すとおり、肩掛け式ベルト２と連結され、手動作業機械を吊る吊り金具部を持ち、棒状の杖部３上に任意の位置に固定できるように形成した保持具４の手動作業機械を吊る吊り金具部に肩掛け式ベルト２と連結したものでも良い。
図４に示すとおり、使用者の足に装着するベルト部５は棒状の杖部３上にて任意の位置で固定できるように構成された器具を介して設置されていても良い。
図４に示すとおり、使用者の足に装着するベルト部５は脱着及び固定保持が可能な，粘着等の素材特性をもつ素材であってもよい。
【図面の簡単な説明】
【０００９】
【図１】この考案の一実施形態を示す略線的斜視図である。
【図２】この考案の使用時装着状態を示す略線的斜視図である。
【図３】この考案の歩行時装着状態を示す略線的斜視図である。
【図４】他の実施形態を示す略線的斜視図である。
【符号の説明】
【００１０】
１  肩掛け式ベルト連結手動作業機械保持杖
２  肩掛け式ベルト
３  棒状の杖部
４  肩掛け式ベルト２と連結され、作業機を吊れる吊り金具部を持ち、棒状の杖部３上に任意の位置に固定できるように形成した保持具
５  足ベルト
６  足ベルト位置保持具
７  手動作業機械
【図１】
0003125645.tif 000003
【図２】
0003125645.tif 000004
【図３】
0003125645.tif 000005
【図４】
0003125645.tif 000006